(57)【要約】【課題】  ＩＰ電話システム以外の要素に対する操作を行うことなく、また、接続中の呼を切断することなくメディアゲートウェイコントローラ（ＭＧＣ）を置換する。【解決手段】  置換元のＭＧＣとその他のネットワーク要素とを呼制御ネットワークを構成するように収容し、パケットのスイッチングを行うネットワーク機器に、情報のモニタだけを許容するように置換先のＭＧＣを接続させ、置換元のＭＧＣが運用中に授受している情報を、置換先のＭＧＣが収集して保持する。置換元のＭＧＣと上記ネットワーク機器との接続を断にした後、置換先のＭＧＣの上記ネットワーク機器を介した呼制御ネットワークへの接続を有効とし、置換先のＭＧＣが保持情報を利用した運用を開始する。【選択図】      図１
2008252652.tif 000002
【特許請求の範囲】
【請求項１】
ＩＰ電話システムにおける置換元のメディアゲートウェイコントローラを、置換先のメディアゲートウェイコントローラに置換するメディアゲートウェイコントローラの置換方法において、
上記置換元のメディアゲートウェイコントローラとその他のネットワーク要素とを呼制御ネットワークを構成するように収容し、パケットのスイッチングを行うネットワーク機器に、情報のモニタだけを許容するように上記置換先のメディアゲートウェイコントローラを接続させ、上記置換元のメディアゲートウェイコントローラが運用中に授受している情報を、上記置換先のメディアゲートウェイコントローラが収集して保持し、
上記置換元のメディアゲートウェイコントローラと上記ネットワーク機器との接続を断にした後、上記置換先のメディアゲートウェイコントローラの上記ネットワーク機器を介した上記呼制御ネットワークへの接続を有効とし、上記置換先のメディアゲートウェイコントローラが上記保持情報を利用した運用を開始する
ことを特徴とするメディアゲートウェイコントローラの置換方法。
【請求項２】
上記置換先のメディアゲートウェイコントローラは、上記保持情報を元に、サービスの継続で必要なデータを生成して運用を開始することを特徴とする請求項１に記載のメディアゲートウェイコントローラの置換方法。
【請求項３】
上記ネットワーク機器がレイヤ２スイッチであることを特徴とする請求項１又は２に記載のメディアゲートウェイコントローラの置換方法。
【発明の詳細な説明】
【技術分野】
【０００１】
本発明はメディアゲートウェイコントローラの置換方法に関し、例えば、回線交換網と接続可能なＩＰ電話システムに設けられているメディアゲートウェイコントローラの置換に適用し得るものである。
【背景技術】
【０００２】
一般的に、既存の回線交換網（ＰＳＴＮ交換網）Ｎ２と接続可能なＩＰ電話システム１０は、図６に示すように、加入者端末１１を収容するサーバであるコールエージエント（ＣＡ）１２、ＰＳＴＮ交換網Ｎ２との呼接続を制御するメディアゲートウェイコントローラ（ＭＧＣ）１３、ＰＳＴＮ交換網Ｎ２における信号網とのＳＳ７インタフェースを終端するシグナリングゲートウェイ（ＳＧＷ）１４、ＰＳＴＮ交換網Ｎ２における音声信号と当該ＩＰネットワークＮ１に係るＩＰパケットとの間での変換を行うメディアゲートウェイ（ＭＧＷ）１５などを有している（非特許文献１の８章などを参照）。
【０００３】
ここで、ＭＧＣ１３は、ＳＧＷ１４やＭＧＷ１５を管理、制御し、ＰＳＴＮ交換網Ｎ２との呼接続を制御するものであり、機能アップなどが頻繁に実行されるものである。機能アップの度合によっては、ＭＧＣ１３（言い換えると、ＭＧＣとして動作する装置）自体を置換することもある。
【０００４】
通常、ＭＧＣ１３自体を置換する場合、電話サービスの特性上、サービスの中断なく実施することが要求される。そのため、従来においては、図７に示すような手順１〜手順３によって、ＭＧＣの置換が実施されていた。
【０００５】
［手順１］  新たに設置する置換先ＭＧＣ（新ＭＧＣ）１３Ｎを現在運用中の置換元ＭＧＣ（旧ＭＧＣ）１３Ｏとは別ノードとして設置する。ＰＳＴＮ交換網Ｎ２内の対向する中継交換機２０とは新たに中継回線を設定するために伝送路を接続し、伝送路に接続する新たなＭＧＷ１５Ｎを設置する。対向する中継交換機２０と中継回線開通工事を行い、中継回線を使用可能とする。
【０００６】
［手順２］  新ＭＧＣ１３Ｎの中継回線が使用可能となれば、中継交換機２０及びＣＡ１２のルーチング情報を変更し、新ＭＧＣ１３Ｎを経由して呼接続が行われるようにする。
【０００７】
［手順３］  ルーチング情報の変更を実施し、全ての呼が新ＭＧＣ１３Ｎ経由で接続され、旧ＭＧＣ１３Ｏと中継交換機２０との接続呼が存在しなくなれば、旧ＭＧＣ１３Ｏ側の回線の撤去を行う。全ての中継交換機２０との接続を新ＭＧＣ１３Ｎに移設された後、旧ＭＧＣ１３Ｏを撤去する。
【非特許文献１】澤田拓也他著、「実践  ＳＩＰ詳解テキスト」、株式会社リックテレコム、２００５年１１月発行
【発明の開示】
【発明が解決しようとする課題】
【０００８】
しかしながら、上述した置換方式では、各中継交換機２０との接続の変更を行うために対向する事業者と回線の増減工事を行う必要があり、全ての回線の移行にはかなりの時間及び費用が必要となる。低コストでの運用が要求されるＩＰ電話システム（ＩＰネットワーク）では置換の障害となる可能性ある。そのため、ＩＰ電話システム（ＩＰネットワーク）内の構成要素に対する操作だけで、ＭＧＣの置換作業が実施することが要求される場合が考えられる。
【０００９】
図８は、ＭＧＣの置換を、ＩＰ電話システム（ＩＰネットワーク）内の構成要素に対する操作だけで実行する方法として、最も簡単に考えられる一方法を示している。この図８に示す置換方法は、旧ＭＧＣ１３Ｏの運用中に新ＭＧＣ１３Ｎをシステム内に設置し、新ＭＧＣ１３Ｎに対し、ホスト名、ＩＰアドレス、運用上のデータ等を旧ＭＧＣ１３Ｏと同様に設定する。そして、旧ＭＧＣ１３Ｏと新ＭＧＣ１３Ｎとの間で、ＣＡ１２やＳＧＷ１４やＭＧＷ１５と接続するためのＩＰネットワークインタフェースの接続替えを実行する。
【００１０】
しかし、図８に示す考えられる置換方法も、新ＭＧＣ１３Ｎへデータを設定した後に回線保守状態の変更及び接続中の呼に関する情報等の新ＭＧＣ１３Ｎが必要とするデータが発生した場合には、新ＭＧＣ１３Ｎに引き継ぐことができず、新ＭＧＣ１３Ｎに接続変更した後に、呼及び回線状態の初期設定が必要となり、接続中の呼が切断されてしまうという問題が生じてしまう。
【００１１】
そのため、ＩＰ電話システム以外の要素に対する操作を行うことなく、しかも、接続中の呼を切断することなく、メディアゲートウェイコントローラを置換することができるメディアゲートウェイコントローラの置換方法が望まれている。
【課題を解決するための手段】
【００１２】
本発明は、ＩＰ電話システムにおける置換元のメディアゲートウェイコントローラを、置換先のメディアゲートウェイコントローラに置換するメディアゲートウェイコントローラの置換方法において、（１）上記置換元のメディアゲートウェイコントローラとその他のネットワーク要素とを呼制御ネットワークを構成するように収容し、パケットのスイッチングを行うネットワーク機器に、情報のモニタだけを許容するように上記置換先のメディアゲートウェイコントローラを接続させ、上記置換元のメディアゲートウェイコントローラが運用中に授受している情報を、上記置換先のメディアゲートウェイコントローラが収集して保持し、（２）上記置換元のメディアゲートウェイコントローラと上記ネットワーク機器との接続を断にした後、上記置換先のメディアゲートウェイコントローラの上記ネットワーク機器を介した上記呼制御ネットワークへの接続を有効とし、上記置換先のメディアゲートウェイコントローラが上記保持情報を利用した運用を開始することを特徴とする。
【発明の効果】
【００１３】
本発明によれば、ＩＰ電話システム以外の要素に対する操作を行うことなく、しかも、接続中の呼を切断することなく、メディアゲートウェイコントローラを置換することができるようになる。
【発明を実施するための最良の形態】
【００１４】
（Ａ）主たる実施形態
以下、本発明によるメディアゲートウェイコントローラの置換方法の一実施形態を、図面を参照しながら詳述する。
【００１５】
図２は、実施形態におけるメディアゲートウェイコントローラ（ＭＧＣ）の置換方法の置換直前の各部の接続構成を示すブロック図である。なお、図２において、既述した図面との同一、対応部分には同一、対応符号を付して示している。
【００１６】
この実施形態の置換方法においても、ＭＧＣの置換を、ＩＰ電話システム（ＩＰネットワーク）１０（Ｎ１）内の構成要素に対する操作だけで実行する方法である。すなわち、図２に示すように、ＰＳＴＮ交換網Ｎ２の中継交換機２０と接続しているシグナリングゲートウェイ（ＳＧＷ）１４やメディアゲートウェイ（ＭＧＷ）１５、並びに、加入者端末（図示せず；図６の１１参照）を収容しているコールエージエント（ＣＡ）１２が、旧ＭＧＣ１３Ｏに接続されている運用中状態において、新ＭＧＣ１３ＮをＩＰ電話システム１０内に設ける。
【００１７】
ここで、旧ＭＧＣ１３Ｏの運用中状態では、ＣＡ１２、旧ＭＧＣ１３Ｏ、ＳＧＷ１４及びＭＧＷ１５は、ネットワーク機器（例えば、レイヤ２スイッチ（図示せず、図１参照））を介して呼制御ネットワーク（例えば、呼制御ＬＡＮ）を構成している。新ＭＧＣ１３Ｎを、呼制御ネットワークの要素として接続するのではなく、後述するように、旧ＭＧＣ１３Ｏの運用中の情報（ホスト名、ＩＰアドレス、運用上のデータ等；より具体的なデータについては後述する）を新ＭＧＣ１３Ｎが取得できるように、新ＭＧＣ１３ＮをＩＰ電話システム１０内に設ける。
【００１８】
旧ＭＧＣ１３Ｏと新ＭＧＣ１３Ｎとの間でデータの通信が可能であれば問題はないが、置換する作業上では、新旧のＭＧＣでアーキテクチャが異なる場合が多いと考えられる。そのため、この実施形態では、ＭＧＣの呼制御ネットワークに接続されているネットワーク機器（レイヤ２スイッチ等）にモニタ用のポートを作成し、新ＭＧＣ１３Ｎのモニタ用インタフェースと接続し、旧ＭＧＣ１３Ｏの運用中の情報を新ＭＧＣ１３Ｎが取得できるようにした。
【００１９】
図１は、この実施形態によるＭＧＣの置換方法における手順の説明図である。なお、図１は、ＭＧＣの呼制御ネットワークが呼制御ＬＡＮを構成しており、呼制御ネットワーク（呼制御ＬＡＮ）に接続されているネットワーク機器がレイヤ２スイッチ２０の場合を示している。また、ＣＡ１２、ＳＧＷ１４及びＭＧＷ１５は、レイヤ２スイッチ２０の異なるポートに接続されているものであるが、図１では、表記上の簡便さから、接続状態をまとめて記載している。
【００２０】
［手順１］
旧ＭＧＣ１３Ｏの呼制御ＬＡＮに接続されているレイヤ２スイッチ２０に、旧ＭＧＣ１３Ｏとの授受情報をモニタするポートを作成し、新ＭＧＣ１３Ｎの情報収集用インタフェース２１を接続する。新ＭＧＣ１３Ｎは、内蔵する情報収集用インタフェース２１により、ＣＡ１２と旧ＭＧＣ１３Ｏ間の情報、ＳＧＷ１４と旧ＭＧＣ１３Ｏ間の情報、ＭＧＷ１５と旧ＭＧＣ１３Ｏ間の情報とを収集し、必要な情報を保持する。
【００２１】
図３は、複数（Ｎ個）のポートＰ１〜ＰＮを備えたレイヤ２スイッチ２０の概念的な構成例を示すブロック図である。
【００２２】
レイヤ２スイッチ２０は、いずれかのポートＰｉ（ｉは１〜Ｎ）から入力されたパケットは、スイッチング部２１によって、そのパケットの宛先ＭＡＣアドレスに応じて定まるポートＰｊ（ｊは１〜Ｎ；但しｉとは異なる）に出力するものである。スイッチング部２１のスイッチングを制御するために、例えば、ＣＰＵでなるスイッチング制御部２２が設けられており、スイッチング制御部２２は、転送テーブル２３の格納内容に従って、受信したパケットのスイッチングを制御する。スイッチング制御部２２は、例えば、入出力端子ＰＣに接続された保守装置（図示せず）から与えられた転送テーブル内容を転送テーブル２３に格納する。
【００２３】
転送テーブル２３の構成は任意で良いが、例えば、図４に示すような構成のものを適用できる。図４は、受信したパケットの送信元ＭＡＣアドレス（又は入力ポート）、宛先ＭＡＣアドレス、及び、そのパケットを出力するポートとを対応付けたものである。例えば、ＣＡ１２から旧ＭＧＣ１３Ｏへのパケットは、旧ＭＧＣ１３Ｏが接続されたポートと、モニタのために新ＭＧＣ１３Ｎが接続されたポートへ出力するように、転送テーブル２３に記述しておくことにより、モニタすべきパケットを新ＭＧＣ１３Ｎにコピーして転送させることができる。
【００２４】
新ＭＧＣ１３Ｎの情報収集用インタフェース２１には、到来したパケットがどのようなときに情報の収集を行うか、収集する情報はどのようなものであるか、収集した情報をどこにどのように保管するかなどの情報（例えばプログラムでなる）が記述されており、その記述情報に従って、情報の収集動作を行う。
【００２５】
情報の収集対象パケットかは、例えば、送信元アドレスや宛先アドレスやパケットの識別情報などに基づいて判別する。収集する情報は、例えば、パケットのフィールドを指定することで特定する。保管場所は、記憶装置の識別情報や、ファイル名等で特定すると共に、自動的に新たなファイルを作成するような指定であっても良い（なお、データ形式を変換して保管することを指示するものであっても良い）。
【００２６】
図５は、手順１によって、新ＭＧＣ１３Ｎがモニタした情報から収集して保管（保持）する情報を示している。
【００２７】
新ＭＧＣ１３Ｎは、ＣＡ１２及び旧ＭＧＣ１３Ｏ間の授受情報に関しては、例えば、新ＭＧＣ１３Ｎのサービス開始後にＳＩＰ接続を維持するために、呼毎に、ＳＩＰダイアログ情報を取得して保持する。また、中継回線との接続関係を特定するために、ＳＤＰ（Ｓｅｓｓｉｏｎ  Ｄｅｓｃｒｉｐｔｉｏｎ  Ｐｒｒｏｔｏｃｏｌ）情報内の所定情報（例えばＩＰアドレス）についても取得して保持する。
【００２８】
新ＭＧＣ１３Ｎは、ＳＧＷ１４及び旧ＭＧＣ１３Ｏ間の授受情報に関しては、例えば、呼のサービス状態を保持するための情報として、発番号や着番号などの番号情報、通話開始時刻、通話終了時刻、その他事業者間で必要なデータを取得して保持する。
【００２９】
新ＭＧＣ１３Ｎは、ＭＧＷ１５及び旧ＭＧＣ１３Ｏ間の授受情報に関しては、例えば、ＣＡ１２−ＭＧＣ１３間及びＳＧＷ１４−ＭＧＣ１３間の呼の接続の関係を特定するために、ＳＤＰ情報及びターミネーションＩＤ等を取得して保持する。
【００３０】
なお、手順１においては、上述したように、新ＭＧＣ１３Ｎはレイヤ２スイッチ２０に対して必要情報を取得するためのモニタが可能なように接続され、レイヤ２スイッチ２０に対してＭＧＣとしての運用を行うような接続は実行されていない。例えば、新ＭＧＣ１３Ｎの運用時にデータ通信に供するケーブルをレイヤ２スイッチ２０に接続しないか、又は、ケーブルを接続しても、そのポートには入出力し得ないように、レイヤ２スイッチ２０を制御しておく。
【００３１】
［手順２］
ＭＧＣ間の置換作業時には、まず、旧ＭＧＣ１３Ｏの、呼制御ＬＡＮとのインタフェースを接続断にすることにより、旧ＭＧＣ１３Ｏによる機能提供を停止する。その直後に、新ＭＧＣ１３Ｎに対する運用開始を設定する。また、新ＭＧＣ１３Ｎにおける呼制御ＬＡＮとのインタフェースを接続する。
【００３２】
新ＭＧＣ１３Ｎは、運用開始の設定により、上述した手順１で収集、保持した情報を元に、サービスの継続で必要なデータを生成する（データ形式の変換なども含む）。なお、手順１でこのような生成を行っておいても良いが、収集動作を置換のぎりぎりまで実行するため、生成したものが無駄になることもあるので、当該手順２で生成を行うことが好ましい。
【００３３】
このような生成方法（プログラム）は、旧ＭＧＣ１３Ｏ及び新ＭＧＣ１３Ｎのアーキテクチャの相違などを考慮して、新ＭＧＣ１３Ｎに記述しておく。例えば、運用開始の設定がなされた時点で保持していたデータを、新ＭＧＣ１３Ｎで実行可能なデータ形式（内部データ保持方式）に展開してサービス継続できるようにする。
【００３４】
旧ＭＧＣ１３Ｏの機能提供停止や、新ＭＧＣ１３Ｎの運用開始設定では、レイヤ２スイッチ２０におけるスイッチング経路を記述している転送テーブル２３の書き換えも適宜行う。
【００３５】
［手順３］
置換作業者は、新ＭＧＣ１３Ｎによるサービスが正常に提供されていることを確認した後、新ＭＧＣ１３Ｎにおける情報収集用インタフェース２１の削除や、旧ＭＧＣ１３Ｏの撤去を行う。これらの作業時にも、必要に応じて、レイヤ２スイッチ２０におけるスイッチング経路を記述している転送テーブル２３の書き換えも行う。
【００３６】
以上のように、上記実施形態によれば、対向する中央交換機２０側を操作することなく、接続中の呼を継続させてＭＧＣ１３を置換することができ、しかも、ＭＧＣ置換作業の期間短縮や費用削減が可能となる。
【００３７】
上記実施形態の場合、ネットワークインタフェースの接続替えの期間や、運用上のデータ生成中は、新規の呼を受付不可となるが、この期間は極々短く問題となることはない。例えば、サーバ上の通常のアプリケーションのアップグレード作業と同程度の期間に収まっている。
【００３８】
（Ｂ）他の実施形態
上記では言及しなかったが、レイヤ２スイッチ２０における、旧ＭＧＣ１３Ｏが撤去されたポートに、新ＭＧＣ１３Ｎの呼制御ＬＡＮ用のケーブルを接続するようにしても良い。
【００３９】
また、ＭＧＣの置換の目的はバージョンアップに限定されず、例えば、保守を目的とした一時的な置換であっても良い。
【図面の簡単な説明】
【００４０】
【図１】実施形態のメディアゲートウェイコントローラの置換方法での置換手順を示す説明図である。
【図２】実施形態の置換方法の置換直前の各部の接続構成を示すブロック図である。
【図３】実施形態のレイヤ２スイッチの概念的な構成例を示すブロック図である。
【図４】実施形態のレイヤ２スイッチにおける転送テーブルの構成説明図である。
【図５】実施形態の置換方法の手順１で新ＭＧＣが収集、保持する情報の説明図である。
【図６】回線交換網とＩＰ電話システムとの接続に係る構成要素を示すブロック図である。
【図７】従来の置換方法の説明図である。
【図８】図７の置換方法の課題を解決する置換方法の説明図である。
【符号の説明】
【００４１】
１０…ＩＰ電話システム、１１…加入者端末、１２…コールエージエント（ＣＡ）、１３、１３Ｏ、１３Ｎ…メディアゲートウェイコンとローラ（ＭＧＣ）、１４…シグナリングゲートウェイ（ＳＧＷ）、１５…メディアゲートウェイ（ＭＧＷ）、２０…レイヤ２スイッチ。
【図１】
2008252652.tif 000003
【図２】
2008252652.tif 000004
【図３】
2008252652.tif 000005
【図４】
2008252652.tif 000006
【図５】
2008252652.tif 000007
【図６】
2008252652.tif 000008
【図７】
2008252652.tif 000009
【図８】
2008252652.tif 000010